(57)【要約】【課題】物品を低廉、かつ簡単に梱包できるようにする。【解決手段】略直角三角形状の一対の主板２，３を物品の厚さに相当する間隔を持って対向配置するとともに、これら主板２，３の直交する外周辺を周壁板４，５，６で繋いで、斜辺において開口された物品挿入用のポケット部７を形成し、物品に備えられた周枠段差に係合する内向き片持ち状の係合フラップ８を一方の主板２に備えてある。【選択図】図１
0003155097.tif 000002
【実用新案登録請求の範囲】
【請求項１】
略直角三角形状の一対の主板を物品の厚さに相当する間隔を持って対向配置するとともに、これら主板の直交する外周辺を周壁板で繋いで、斜辺において開口された物品挿入用のポケット部を形成し、前記物品に備えられた周枠段差に係合する内向き片持ち状の係合フラップを一方の主板に備えてあることを特徴とするコーナー用緩衝体。
【請求項２】
１枚の前記係合フラップが、物品の直交する２辺における周枠段差に係合するよう構成してある請求項１記載のコーナー用緩衝体。
【請求項３】
対向する一対の主板の一方にのみ前記係合フラップを備えてある請求項１または２に記載のコーナー用緩衝体。
【請求項４】
型抜き裁断された１枚の板紙材を折り曲げて前記ポケット部を組み上げるとともに、前記主板の斜辺から前記係合フラップを折り曲げ連設してある請求項１ないし３のいずれかに記載のコーナー用緩衝体。
【請求項５】
一方の主板に連設した周壁板と他方の主板に連設した周壁板とを重合し、外側の周壁板に備えたロック爪を内側の周壁板に形成した係合孔に係止して前記ポケット部の組み上げ状態を保持するロック部を備えてある請求項１ないし４のいずれかに記載のコーナー用緩衝体。
【請求項６】
前記係合孔へのロック爪の係合によって係合孔が閉塞されるよう構成してある請求項５記載のコーナー用緩衝体。
【請求項７】
前記物品の周枠の外周辺に外嵌する断面形状コの字形の周辺保護部を、前記周枠に沿うように前記ポケット部に連設してある請求項１ないし６のいずれかに記載のコーナー用緩衝体。
【請求項８】
前記周辺保護部の両端に前記ポケット部をそれぞれ連設してある請求項７記載のコーナー用緩衝体。
【請求項９】
一対の前記ポケット部を積層連設してある請求項１ないし８のいずれかに記載のコーナー用緩衝体。
【請求項１０】
一対の前記ポケット部の一方の主板を、その斜辺における折り線を介して連設し、前記折り線を介した折り曲げ反転によって両ポケット部を積層するよう構成してある請求項９記載のコーナー用緩衝体。
【考案の詳細な説明】
【技術分野】
【０００１】
本考案は、太陽電池モジュールなどの扁平な物品を梱包搬送する際に好適に使用することができるコーナー用緩衝体に関する。
【背景技術】
【０００２】
太陽電池モジュールなどの扁平な物品を梱包搬送する場合には、例えば、特許文献１に示されているように、太陽電池モジュールを個別に全面包装して、複数の太陽電池モジュールを積層して包装箱に収納している。
【先行技術文献】
【特許文献】
【０００３】
【特許文献１】特開２００２−３０２１５７号公報
【考案の概要】
【考案が解決しようとする課題】
【０００４】
上述の特許文献１のような全面包装では、梱包コストが高くつき、また、包装箱への物品の出し入れに手数を要するものであった。
【０００５】
本考案は、このような実情に着目してなされたものであって、低廉で、かつ簡単に梱包できるようにすることを目的とする。
【課題を解決するための手段】
【０００６】
上記目的を達成するために、本考案は以下のように構成した。
【０００７】
本考案は、略直角三角形状の一対の主板を物品の厚さに相当する間隔を持って対向配置するとともに、これら主板の直交する外周辺を周壁板で繋いで、斜辺において開口された物品挿入用のポケット部を形成し、前記物品に備えられた周枠段差に係合する内向き片持ち状の係合フラップを一方の主板に備えてあることを特徴とする。
【０００８】
略直角三角形状の主板は、物品のコーナーに対応する直角状の部分と、この直角状の部分に対向する斜辺の少なくとも一部とを備える形状であるのが好ましい。
【０００９】
この構成によると、コーナー用緩衝体のポケット部に物品の角部を挿入してゆくと、自由状態ではポケット内の下面に折れ下がっていた係合フラップが物品の周枠上面に当接して押仕上げられ、ポケット部に物品が充分深く挿入されると、周枠から外れた係合フラップは自動的に下方に復帰揺動して物品の上面に受け止められる。この状態では、係合フラップの側端辺が直交する２辺における周枠の段差に近接することになり、係合フラップと周枠段差との係合によりコーナー用緩衝体が物品から抜け外れることが阻止されることになり、ワンアクションでコーナー用緩衝体を物品の角部に外れ止め状態で外嵌装着して、角部を保護した梱包を簡単容易に行うことができる。
【００１０】
本考案の一実施態様においては、１枚の前記係合フラップが、物品の直交する２辺における周枠段差に係合するよう構成してある。
【００１１】
これによると、１枚の係合フラップでコーナー用緩衝体が物品に対して前後左右にずれ動くことを防止して、角部保護状態を確実に維持することができる。
【００１２】
また、本考案の他の実施態様においては、対向する一対の主板の一方にのみ前記係合フラップを備えてある。
【００１３】
これによると、太陽電池モジュールのように、表面にのみ周枠段差があって裏面が平坦な物品に好適に装着して利用することができる。
【００１４】
また、本考案の他の実施態様においては、型抜き裁断された１枚の板紙材を折り曲げて前記ポケット部を組み上げるとともに、前記主板の斜辺から前記係合フラップを折り曲げ連設してある。
【００１５】
これによると、安価な素材を用いて簡単に組み上げることができ、コスト低減に有効となる。
【００１６】
また、本考案の他の実施態様においては、一方の主板に連設した周壁板と他方の主板に連設した周壁板とを重合し、外側の周壁板に備えたロック爪を内側の周壁板に形成した係合孔に係止して前記ポケット部の組み上げ状態を保持するロック部を備えてある。
【００１７】
これによると、接着剤やステッチなどの連結用の部材を要することなく、簡単に組み上げ状態を保持できるので、梱包現場に素材状態で嵩低く搬入して、手早く組み上げて使用することができる。また、ロック爪を係合孔から抜き外してロックを簡単に解除することができるので、物品に装着したコーナー用緩衝体を簡単に分解開放して取外すことも容易となる。
【００１８】
さらに、本考案の他の実施態様においては、前記係合孔へのロック爪の係合によって係合孔が閉塞されるよう構成してある。
【００１９】
これによると、コーナー用緩衝体で覆われた物品部分が外部に露出することがなく、ゴミなどの異物がポケット部に侵入することがない。
【００２０】
また、本考案の他の実施態様においては、前記物品の周枠の外周辺に外嵌する断面形状コの字形の周辺保護部を、前記周枠に沿うように前記ポケット部に連設してある。
【００２１】
これによると、物品の角部のみならず、角部に続く周枠の外周辺をも同時に保護することができ、安全に梱包搬送することができる。
【００２２】
また、本考案の他の実施態様においては、前記周辺保護部の両端に前記ポケット部をそれぞれ連設してある。
【００２３】
これによると、単一のコーナー用緩衝体で物品の一辺全体を好適に保護することができ、緩衝体の装着手間を少なくしながら一層安全な梱包を行うことができる。
【００２４】
また、本考案の他の実施態様においては、一対の前記ポケット部を積層連設してある。
【００２５】
これによると、２枚の物品をまとめて梱包保護することができ、多量の物品を取り扱う際の処理手数の節減に有効となる。
【００２６】
さらに、本考案の他の実施態様においては、一対の前記ポケット部の一方の主板を、その斜辺における折り線を介して連設し、前記折り線を介した折り曲げ反転によって両ポケット部を積層するよう構成してある。
【００２７】
これによると、１段タイプのコーナー用緩衝体と同様な手順で２段積層タイプのコーナー用緩衝体を簡単容易に組み上げることができる。
【考案の効果】
【００２８】
本考案によれば、コーナー用緩衝体を物品の角部に外れ止め状態で外嵌装着して、角部を保護した梱包を簡単容易に行うことができる。
【図面の簡単な説明】
【００２９】
【図１】第１例のコーナー用緩衝体を正面側から見た斜視図である。
【図２】第１例のコーナー用緩衝体を側方から見た斜視図である。
【図３】ロック部の正面図である。
【図４】図３におけるＡ−Ａ断面図である。
【図５】第１例のコーナー用緩衝体を構成する素材の展開平面図である。
【図６】組み上げ過程を示す斜視図である。
【図７】使用形態を示す斜視図である。
【図８】使用状態におけるコーナー用緩衝体の一部切欠き平面図である。
【図９】装着手順を示す縦断面図である。
【図１０】第２例のコーナー用緩衝体を側方から見た斜視図である。
【図１１】第２例のコーナー用緩衝体の使用形態を示す斜視図である。
【図１２】第３例のコーナー用緩衝体を構成する素材の展開平面図である。
【図１３】第３例のコーナー用緩衝体の使用形態を示す斜視図である。
【図１４】第４例のコーナー用緩衝体を正面側から見た斜視図である。
【図１５】第４例のコーナー用緩衝体の側方から見た斜視図である。
【図１６】第４例のコーナー用緩衝体のロック部を示す縦断面図である。
【図１７】第４例のコーナー用緩衝体を構成する素材の展開平面図である。
【図１８】第４例のコーナー用緩衝体の組み上げ過程を示す斜視図である。
【図１９】第５例のコーナー用緩衝体を側方から見た斜視図である。
【図２０】第５例のコーナー用緩衝体の組み上げ過程を示す斜視図である。
【図２１】第６例のコーナー用緩衝体を側方から見た斜視図である。
【図２２】第６例のコーナー用緩衝体を背面側から見た斜視図である。
【考案を実施するための形態】
【００３０】
以下、本考案を、太陽電池モジュールを梱包対象物品とした場合の実施例のいくつかを図面に基づいて説明する。
【００３１】
〔第１例〕
図１〜図９に、第１例に係るコーナー用緩衝体が示されており、図１は、組み立て状態の正面側から見た斜視図、図２は、その側面側から見た斜視図、図７は、使用状態の斜視図である。
【００３２】
このコーナー用緩衝体１は、段ボール紙などの板紙材を型抜き裁断してなる素材を折り曲げて組み上げたものであり、上下に所定間隔をもって対向された略直角三角形状の一対の主板２，３、これら主板２，３の直交する一方の周辺同士をつなぐ周壁板４、他辺同士をつなぐ２枚重ねの周壁板５，６を備え、直角三角形の斜辺において開口する物品挿入用のポケット部７が形成され、かつ、上側に位置する一方の主板２の斜辺からポケット内方に向けて略三角形の係合フラップ８が片持ち状に延出された基本構造を備えている。
【００３３】
図５に、素材を展開して内面側から見た平面図が示されている。主板２と主板３とが周壁板４を挟んで並設されるとともに、主板２，３と周壁板４との間に、短い切り込み線を断続形成してなる折り線ａ，ｂが形成されている。また、主板２の直交する一方の周辺には周壁板５が折り線ｃを介して連設されるとともに、主板３の直交する一方の周辺に周壁板６が折り線ｄを介して連設され、さらに、主板２の斜辺に係合フラップ８が折り線ｅを介して連設されている。
【００３４】
以上のように構成された素材の各部位は、図６に示すように、各折れ線ａ〜ｅを介して内折りに折り曲げられ、図１および２に示すような、斜辺において開口するポケット部７を備えたコーナー用緩衝体１が組み上げられる。
【００３５】
２枚重ねされる周壁板５，６には、コーナー用緩衝体１の組み上げ状態を保持するロック部９が備えられている。このロック部９は、外側となる周壁板６の端辺に切り込み形成した先拡がり台形形状のロック爪１０と、内側となる周壁板５に折れ線ｃに臨んで開口された略矩形の係合孔１１とで構成されており、周壁板５，６を折り重ねた後、ロック爪１０を指先で押し込み変形させて係合孔１１に挿し入れ、ロック爪１０の先拡がり部位を周壁板５の内側に係止することで、周壁板５，６が重合状態に連結保持されるようになっている。
【００３６】
ロック爪１０の遊端には指掛け用の小突起１０ａが備えられており、上記係合ロック状態では、小突起１０ａが係合孔１１の上端部において露出されている。露出している小突起１０ａを指先で引っ掛けてロック爪１０全体を係合孔１１から外方に引き出し変形させることで、周壁板５，６でのロックを解除してコーナー用緩衝体１を折り拡げ分解することができる。
【００３７】
なお、前記係合孔１１は、その折れ線ｃ側の端部が、係合されたロック爪１０の小突起１０ａが露出するに足る最小限度の位置に在るように設定され、ロック爪１０が係合された状態において、係合孔１１がロック爪１０によって略閉塞されて、ポケット部７の内部が露出されないようになっている。
【００３８】
以上のように構成されたコーナー用緩衝体１の使用状態が図７，図８に示されている。このコーナー用緩衝体１は、太陽電池モジュールなどの、上面の外周に周枠ｆが段差状に突出した物品Ｗにおける四隅の各角部に外嵌装着されるものであり、図９に示すように、コーナー用緩衝体１のポケット部７に物品Ｗの角部を挿入してゆくと、自由状態ではポケット内の下面に折れ下がっていた係合フラップ８が物品Ｗの周枠上面に当接して押仕上げられ、ポケット部７に物品Ｗが充分深く挿入されると、周枠ｆから外れた係合フラップ８は自動的に下方に復帰揺動して物品Ｗの上面に受け止められる。この状態では、図８に示すように、係合フラップ８の側端辺が直交する２辺における周枠ｆの段差に近接することになり、係合フラップ８と周枠段差との係合によりコーナー用緩衝体１が物品Ｗから抜け外れることが阻止される。
【００３９】
物品Ｗからコーナー用緩衝体１を取り外す際には、ロック部９において、係合爪１０を係合孔１１から外してロックを解除し、周壁板５，６の連結を解いてコーナー用緩衝体１を分解する。なお、物品Ｗの上面において、ポケット部７の開口から手指を挿し入れて係合フラップ８を主板２の下面にまで押し上げ、係合フラップ８が周枠段差に掛からないようにしながらコーナー用緩衝体１を抜き外すこともできる。
【００４０】
〔第２例〕
図１０〜図１２に、第２例に係るコーナー用緩衝体１が示されている。
【００４１】
この例のコーナー用緩衝体１は、基本的には上記第１例と同様に構成されているが、主板２，３の端部から断面形状コの字形の細長い周辺保護部１２が前記ポケット部７の一端に連設された構造となっており、図１１に示すように、コーナー用緩衝体１によって物品Ｗの角部のみならず、周辺の一部がある程度の範囲に亘って周辺保護部１２で覆われて保護されるようになっている。
【００４２】
前記周辺保護部１２は、図１２の展開図に示すように、主板２，３の一端部に連設された細長い延出辺２ａ，３ａと、これに折れ線ｃ，ｄを介して連なる周壁板５，６を折り上げて断面形状コの字形に形成したものであり、ロック爪１０と係合孔１１からなる上記構造のロック部９がポケット部７と周辺保護部１２の先端側との２箇所に備えられている。
【００４３】
また、周辺保護部１２を形成する前記延長部２ａの先端には、下方に折り込み可能な係止片２ｂが連設されており、コーナー用緩衝体１を物品Ｗに装着した際に、図１１に示すように、係止片２ｂを下方に折り込んで物品Ｗにおける周枠ｆの内縁に係止することで、周辺保護部１２の先端側が物品Ｗから抜き外れることが防止されるようになっている。
【００４４】
〔第３例〕
図１３に、第３例に係るコーナー用緩衝体１が示されている。
【００４５】
この例のコーナー用緩衝体１は、上記第２例を変形させたものであり、上記構成の周辺保護部１２の両端に前記ポケット部７をそれぞれ連設して、物品Ｗの一辺を全長に亘って外嵌保護するよう構成されている。なお、この場合、全長が長いものとなるので、ロック部９が両ポケット部７と、長手方向の中央部位との３箇所に備えて、組み上げ状態が確実に保持されるようになっている。
【００４６】
〔第４例〕
図１４〜図１８に、第４例に係るコーナー用緩衝体１が示されている。
【００４７】
この例のコーナー用緩衝体１は、上記第１例と同様に組み上げられた一対のポケット部７を上下に積層連設して、２枚の物品Ｗに装着できるよう構成されている。
【００４８】
この２段重ね構造のコーナー用緩衝体１も１枚の素材を折り曲げて組み上げるものであり、その素材の展開平面図が図１７に示されている。図１７から判るように、第１例で示した１個のポケット部を構成する素材を、４５度傾斜する折り線ｇを介して略対称に連設配置したものであり、図１８に示すように、一方のポケット部７を、前記折り線ｇを介して折り曲げ反転して他方のポケット部７に積層して構成される。
【００４９】
ここで、各ポケット部７における２枚重ねの周壁板からは舌片１３が相手ポケット部７に向けて切り起こし突設されており、両ポケット部７を積層すると、図１６に示すように、相手ポケット部７の周壁板４の外面が舌片１３に受け止め支持され、両ポケット部７が位置決め積層されるともに、周壁板４の外面と舌片１３との圧接摩擦によって両ポケット部７が分離することが抑制されるようになっている。
【００５０】
この例では、両ポケット部７が分離しないように積層されるので、一方のポケット部７の係合フラップ８を省略してもよい。
【００５１】
〔第５例〕
図１９および図２０に、第５例に係るコーナー用緩衝体１が示されている。
【００５２】
この例においては、２枚重ねされる周壁板５，周壁板６の端辺中央にそれぞれ切り込み１４，１５を備え、これら切り込み１４，１５を利用して周壁板５，６を互いに交差させることで組み上げ状態を保持するロック部９が構成されている。このように切り込み１４，１５を交差させて組み上げるので、容易にコーナー用緩衝体１を組み立てることができる。
【００５３】
〔第６例〕
図２１および図２２に、第６例に係るコーナー用緩衝体が示されている。
【００５４】
この例は、上記した第４例の２段積み構造において、組み上げ状態を保持するロック部９として上記第５例の構造を導入するとともに、周壁板５，６における端辺の一部を延出して直交する２方向に面する一対の位置合わせ突片１６を備えた構造としている。この構成によると、両ポケット部７が分離しないように積層されるので、コーナー用緩衝体１を装着した２枚単位の物品Ｗの複数を、位置決めして積層することができる。
【００５５】
[他の実施例]
本考案は、以下のような形態で実施することもできる。
【００５６】
（１）組み上げ状態を保持するロック部９として、接着剤やステッチを用いて周壁板５，６同士を連結固定したり、あるいは、樹脂製の連結具を圧入装着して周壁板５，６同士を連結する構造を採用することもできる。
【００５７】
（２）素材の材料としては、段ボール紙などの板紙材が安価に実施できて好適であるが、梱包対象の物品によっては、適度の弾性と強度を有する発泡樹脂の板材、などを用いることもできる。
【産業上の利用可能性】
【００５８】
本考案は、各種の製品を梱包する際のコーナー用の緩衝体として有用である。
【符号の説明】
【００５９】
２                主板
３                主板
４                周壁板
５                周壁板
６                周壁板
７                ポケット部
８                係合フラップ
９                ロック部
１０              ロック爪
１１              係合孔
１２              周辺保護部
ｆ                周枠
Ｗ                物品
【図１】
0003155097.tif 000003
【図２】
0003155097.tif 000004
【図３】
0003155097.tif 000005
【図４】
0003155097.tif 000006
【図５】
0003155097.tif 000007
【図６】
0003155097.tif 000008
【図７】
0003155097.tif 000009
【図８】
0003155097.tif 000010
【図９】
0003155097.tif 000011
【図１０】
0003155097.tif 000012
【図１１】
0003155097.tif 000013
【図１２】
0003155097.tif 000014
【図１３】
0003155097.tif 000015
【図１４】
0003155097.tif 000016
【図１５】
0003155097.tif 000017
【図１６】
0003155097.tif 000018
【図１７】
0003155097.tif 000019
【図１８】
0003155097.tif 000020
【図１９】
0003155097.tif 000021
【図２０】
0003155097.tif 000022
【図２１】
0003155097.tif 000023
【図２２】
0003155097.tif 000024